【事件の表示】
　特願２００４−５６０５６３「液晶表示装置」拒絶査定不服審判事件〔平成１６年　７月　１日国際公開、ＷＯ２００４／０５５５７７〕について、次のとおり審決する。
【結　論】
　本件審判の請求は、成り立たない。
【理　由】
 １．手続の経緯・本願発明 
 　本願は、平成１４年(２００２年)１２月１６日を国際出願日とする出願であって、平成１９年８月９日付けで手続補正がなされたところ、平成１９年１１月１２日付けで拒絶査定がされ、これに対し、平成１９年１２月２７日に拒絶査定不服審判が請求されたもので、その請求項に係る発明は、平成１９年８月９日付け手続補正で補正された特許請求の範囲、明細書及び図面の記載からみて、特許請求の範囲の請求項１〜３０に記載された事項により特定されるものであると認められるところ、請求項２に係る発明は次のものである。
　 
「１種類の発光体を備えた複数の発光管から構成され、１フレーム内で点灯状態と消灯状態を有する光源と、
前記光源からの光の透過量を調整する液晶パネルとを具備し、
前記発光体のそれぞれからの光の時間に対する輝度率変化が、前記光源の消灯状態から点灯状態への輝度立上り期間、及び点灯状態から消灯状態への輝度立下り期間の少なくとも一方の期間でほぼ一致することを特徴とする液晶表示装置。」（以下「本願発明」という。）
 　 
 ２．刊行物の記載事項 
 　原査定の拒絶理由に引用された、本願の国際出願日前である平成１４年３月１２日に頒布された特開２００２−７２２０８号公報（以下「引用例」という。）には、下記の事項が記載されている。 
　
（１）「【請求項５】蛍光体が封入され、駆動信号に応じた光を画素に照射する複数の冷陰極管と、
１垂直期間毎に、上記複数の冷陰極管の輝度の時間に対する変化率が立ち上がり時間及び立ち下がり時間付近で概略一致するように、上記駆動信号を制御する発光制御手段とを備え、
上記冷陰極管のうち少なくとも一つは、光の３原色のうちの１色の蛍光体のみが封入され、この冷陰極管に印加される駆動信号が上記発光制御手段によって制御されることを特徴とする液晶表示装置。」，
　
（２）「【０００４】
【発明が解決しようとする課題】しかしながら、上記従来の技術では、照明部の発光体として白色タイプのものが使用されている。この場合、光の３原色に対応する少なくとも３色の蛍光体が封入されており、各色によって発光体の応答時間が異なり、その結果、発光波形の位相が異なるようになる。これは、特に、高速動画映像において画像の輪郭が着色される現象を招来し、表示品位を低下させていた。
【０００５】本発明は、上記問題点に鑑みなされたものであり、その目的は、１垂直期間毎に一定の消灯または減光期間を持つように照明部の発光体を制御したときに生じていた画像の輪郭の着色現象を軽減する液晶表示装置を提供することにある。」
　
（３）「【００１７】本発明に係る他の液晶表示装置は、上記課題を解決するために、蛍光体が封入され、駆動信号に応じた光を画素に照射する複数の冷陰極管と、１垂直期間毎に、上記冷陰極管の輝度の時間に対する変化率が立ち上がり時間及び立ち下がり時間付近で変化させられるように、上記駆動信号を制御する発光制御手段とを備え、上記冷陰極管のうち少なくとも一つは、光の３原色のうちの１色の蛍光体のみが封入され、この冷陰極管に印加される駆動信号が上記発光制御手段によって制御されることを特徴としている。
【００１８】上記の発明によれば、光が画素に照射されて所望の情報が表示される。この際、１垂直期間毎に画素に照射する上記冷陰極管の輝度の時間に対する変化率が立ち上がり時間及び立ち下がり時間付近で変化させられるように、上記駆動信号が発光制御手段によって制御される。このように光の輝度を減少させた期間を設けることによって、見る人にとってはコントラスト比の高い瞬間だけが残像として残るので、コントラスト比の良い鮮明な画面として見える。
【００１９】ところが、一般には、冷陰極管には、緑色、赤色、青色に発光する少なくとも３色の蛍光体が封入されている。この蛍光体は、冷陰極管内の放電で励起された水銀が放出する紫外線で蛍光を発する。この冷陰極管をパルス状に点滅・点灯させると、各色で発光波形の位相が異なる（各色の蛍光体の発光に要する応答時間及び消光に要する応答時間が異なることにより、紫外線放射に対し、それぞれの色の発光期間が異なる）。このように発光波形の位相が異なることによって、高速動画映像において画像の輪郭が着色する現象が見られ、その結果、表示品位が低下していた。
【００２０】そこで、上記発明によれば、上記冷陰極管のうち少なくとも一つは、光の３原色のうちの１色の蛍光体のみが封入され、この冷陰極管に印加される駆動信号が上記発光制御手段によって制御されるので、各色の発光波形の位相が互いに近づくように調整可能となる。それゆえ、高速動画映像において画像の輪郭が着色する現象が軽減されるので、高速動画映像において表示品位を著しく向上させることが可能となる。
【００２１】上記冷陰極管は、２つの冷陰極管からなり、そのうちの一方は、光の３原色のうちの緑色の蛍光体のみが封入されていると共に、他方は、光の３原色のうちの赤色と青色の蛍光体が封入されていることが好ましい。
【００２２】発光波形において、光の３原色のうち、特に、緑色の立ち上がり、立ち下がりが遅い。そこで、緑色の蛍光体のみを封入した冷陰極管と、赤色と青色の蛍光体を封入した冷陰極管とを独立して設け、各冷陰極管の駆動信号が発光制御手段によって制御されることによって、緑色の蛍光体が封入された冷陰極管の発光波形の位相と、赤色と青色の蛍光体が封入された冷陰極管の発光波形の位相とを、より高精度に近づけるように調整することが可能となる。これにより、高速動画映像において画像の輪郭が着色する現象を軽減でき、表示品位をいっそう向上させることができる。
【００２３】また、上記発明によれば、上記冷陰極管は、２つの冷陰極管からなり、そのうちの一方は、光の３原色のうちの緑色と赤色の蛍光体が封入されていると共に、他方は、光の３原色のうちの青色の蛍光体のみが封入されている構成も好ましい。
【００２４】一般に使用されている蛍光体は、その発光効率と発光スペクトルから選定されているが、青色、赤色に対して緑色の蛍光体の種類は比較的多い。したがって、発光効率の若干の減少を考慮に入れなければ、発光、減光に対する緑色の応答時間は、適切な蛍光体を選択することで、ほとんど赤色の応答時間に相当する時間まで短縮できる。
【００２５】そこで、緑色と赤色の蛍光体を封入した冷陰極管と、青色の蛍光体のみを封入した冷陰極管を独立して設け、各冷陰極管の駆動信号が発光制御手段によって制御されることによって、緑色と赤色の蛍光体が封入された冷陰極管の発光波形位相と青色の蛍光体のみが封入された冷陰極管の発光波形位相をより高精度に近づけるように調整することが可能となる。これにより、高速動画表示において画像の輪郭が着色する現象を軽減でき、表示品位をいっそう向上させることができる。
【００２６】上記冷陰極管は、第１乃至第３の３つの冷陰極管からなり、上記第１冷陰極管には、光の３原色のうちの緑色の蛍光体のみが封入されており、上記第２冷陰極管には、光の３原色のうちの赤色の蛍光体のみが封入されており、上記第３冷陰極管には、光の３原色のうちの青色の蛍光体のみが封入されていることが好ましい。
【００２７】上記の発明によれば、２つの冷陰極管からなる場合より、３つの冷陰極管の駆動信号を発光制御手段によってそれぞれ制御することによって、より高精度に３原色の各発光波形の位相を互いに近づけることが可能となり、高速動画映像において画像の輪郭が着色する現象をより確実に軽減でき、表示品位をよりいっそう向上させることができる。
【００２８】本発明における冷陰極管とその発光タイミングについての議論を明確化するための定義を明確化する。一般性を失わないので、第１の冷陰極管には比較的発光及び減光に要する応答時間が長い１色または２色の蛍光体が封入され、第２の冷陰極管には、比較的発光及び減光に要する応答時間が短い１色または２色の蛍光体が封入されている。さらに、もしあるならば、第３の冷陰極管には第１及び第２の冷陰極管に封入されていない最も応答時間の短い蛍光体が封入されている。すなわち、３原色の蛍光体の応答時間は、一般に、青色、赤色、緑色の順に短いので、本発明に含まれる蛍光管の組み合わせとしては表１に示すものがある。もちろん、実際に封入される蛍光体の順序が変わっても、本発明の趣旨に沿って制御する限り、何の問題もない。」 
　
（４）「【００４０】本発明に係る照明装置は、上記課題を解決するために、液晶表示装置の画素を照射するものであって、その発光輝度が垂直同期信号に対して或る一定の位相で発光期間と減光期間を有し、該減光期間が１垂直期間の１０％から９０％の範囲にあり、光の３原色のうち少なくとも１色の発光体の発光期間及び減光期間を独立して制御することを特徴としている。
【００４１】減光期間が１垂直期間の１０％未満である場合、コントラストの良いところを選択的に利用できない。一方、減光期間が１垂直期間の９０％より大きい場合、全体の輝度が低下し、良好な映像が得られない。そこで、上記の照明装置においては、減光期間が１垂直期間の１０％から９０％の範囲に設定されている。これにより、コントラストの良いところを選択的に利用できると共に、全体の輝度が低下することなく良好な映像が得られる。
【００４２】上記減光期間は、垂直期間の２０％から７０％の範囲にあることがより好ましく、減光期間が７０％程度になると、ＣＲＴと匹敵する動画表示性能が期待できるため、それ以上輝度を失ってまで消光しなくてもよい。また、一般の常時点灯の場合と比較して減光期間が２０％あれば、明らかに動画表示性能の向上が実感できる。
【００４３】上記発光体は、冷陰極管、エレクトロルミネッセンス、又は熱陰極管であることが好ましい。これらの発光体は、一般に広く使用されているものであり、量産性、コスト面で優れている。
【００４４】上記発光体は、３原色のうち緑色のみを発光するものが好ましい。上記発光体は、３原色のうち青色のみを発光するものでもよい。一般に、緑色が最も遅く応答し、青色が最も早く応答する。したがって、最も応答時間がかけ離れた発光体（すなわち、発光期間の位相が最もずれる発光体）を補正することによって、簡素な構成で好ましい表示が得られる。
【００４５】上記発光体は、３原色のうち比較的応答時間の長い蛍光体を封入した第１冷陰極管と、比較的応答時間の短い蛍光体を封入した第２冷陰極管とからなることが好ましい。現状では、発光体として冷陰極管が、産業使用上、最も、コスト面、生産性において優れている。したがって、冷陰極管を２つの群に分け、一方を比較的応答時間が長い（位相のずれが大きい）発光体群とすると共に、他方を比較的応答時間が短い（位相のずれが小さい）発光体群として補正することによって、コスト面、生産性において優れ、且つ、実用上も実際的な表示が行える。 
【００４６】上記第１冷陰極管には緑色の蛍光体が封入されており、上記第２冷陰極管には赤色と青色の蛍光体が封入されていることが好ましい。上記第１冷陰極管には緑色と赤色の蛍光体が封入されており、上記第２冷陰極管には青色の蛍光体が封入されていてもよい。
【００４７】一般に、蛍光体中、緑色が最も遅く応答し、青色が最も早く応答する。したがって、最も応答時間がかけ離れた発光体（すなわち、発光期間の位相が最もずれる発光体）を補正することによって、簡素な構成で好ましい表示が得られる。
【００４８】上記発光体は、３原色のうち比較的応答時間の長い蛍光体を封入した第１冷陰極管と、中間的な応答時間の蛍光体を封入した第２冷陰極管と、比較的応答時間の短い蛍光体を封入した第３冷陰極管とからなることが好ましい。この場合、３原色を３本の冷陰極管に分けているので、より高精度に各色の発光期間をそろえることが可能となり、表示上、最も好ましい状況を実現できる。
【００４９】上記発光体を駆動するインバータを備え、該インバータに対する入力信号の位相、振幅、又はパルス幅が変調されて、上記発光期間及び減光期間が独立して制御されることが好ましい。
【００５０】発光期間をそろえるためには、次の３つのファクタがある。すなわち、発光期間の開始時間・終了時間、発光期間の長さ、並びに発光期間の開始時及び終了時の輝度プロファイルである。位相変調は、発光期間の開始時間を制御し、パルス幅変調は発光期間の長さ及びそれに伴う発光期間の終了時間を制御する。そして、振幅変調は、発光期間の開始時及び終了時の輝度プロファイルを制御する。この中で、最も影響の大きいのは開始時間であり、ついで終了時間、プロファイルの順である。
【００５１】上記第１冷陰極管の発光期間は、独立して制御されると共に、上記第２又は第３冷陰極管の発光期間と概略一致するように制御されることが好ましい。上記第２冷陰極管または上記第３冷陰極管の発光期間は、独立して制御されると共に、上記第１冷陰極管の発光期間と概略一致するように制御されてもよい。
【００５２】原理的には、発光体は、待ち時間０で、制御信号に対応した発光期間が開始及び終了することが、意図された表示を忠実に再現する上で好ましい。しかしながら、実際には、応答時間０が実現できない。また、位相を進めることを意図するだけで、従来は不要であった高電圧回路や位相調整回路が必要となることがある。
【００５３】そこで、相対的に進んでいる位相の発光体（第２及び第３冷陰極管）を補正することによって、冷陰極管の発光期間を概略一致させることが実際的である。この場合、より応答時間が長く位相のずれが大きいものを積極的に補正して冷陰極管の発光期間を概略一致させることが実際的であり、効果的である。このような補正は、例えば、位相を遅らせることによって行える。位相を遅らせる回路は、比較的簡単な調整回路で実現できることが多い。したがって、構成を複雑化することを回避できる。
【００５４】上記第１、第２、及び第３冷陰極管の発光期間は、それぞれ独立して制御されると共に、上記各発光期間が互いに概略一致するように制御されることが好ましい。３つの冷陰極管を独立して制御することにより最も好ましい表示が確実に得られる。
【００５５】上記第１冷陰極管には緑色の蛍光体のみが封入されていることが好ましい。上記第１冷陰極管には緑色と赤色の蛍光体が封入されていてもよい。冷陰極管を２本具備する場合、最も位相のずれが大きくなる発光体を独立して制御すべきである。すなわち、最も応答時間の遅い蛍光体は一般に緑色であり、最も早い蛍光体は青色であるので、そのいずれかの色の蛍光体を単独で封入することによって、上記位相のずれを確実に小さくできる。１色の発光体と２色の発光体のいずれの発光期間を制御してもそれぞれの発光期間が概略一致すれば、上述の所望の効果を得ることが可能となる。」
　
（５）「【００９７】更に、上記においては、インバータ２ａとインバータ２ｃの駆動信号の位相差が２ｍｓ、インバータ２ｂとインバータ２ｃの駆動信号の位相差が１ｍｓの場合について説明したが、本発明はこれに限定されるものではなく、冷陰極管３ａ〜３ｃの発光波形が互いに近づくように位相差を決定すればよい。また、上記においては、パルス幅及びパルス高を調整する例について説明したが、説明におけるパルス幅の縮小率やパルス高の拡大率はほんの一例にすぎず、本発明はこれらの例に限定されるものではなく、冷陰極管３ａ〜３ｃの発光波形が互いに近づくようにパルス幅、及び／又はパルス高が決定されればよい。」
 
　上記（１）ないし（５）に記載される事項から、引用例には、次の発明（以下「引用発明」という。）が記載されていると認められる。
「１垂直期間毎に一定の消灯または減光期間を持つように照明部の発光体を制御したときに生じていた画像の輪郭の着色現象を軽減する液晶表示装置であって、蛍光体が封入され、駆動信号に応じた光を画素に照射する複数の冷陰極管と、１垂直期間毎に、上記複数の冷陰極管の輝度の時間に対する変化率が立ち上がり時間及び立ち下がり時間付近で概略一致するように、上記駆動信号を制御する発光制御手段とを備え、上記冷陰極管のうち少なくとも一つは、光の３原色のうちの１色の蛍光体のみが封入され、この冷陰極管に印加される駆動信号が上記発光制御手段によって制御される液晶表示装置。」
　
　
３．対比 
　本願発明と引用発明とを対比する。
　引用発明の「蛍光体」、「冷陰極管」、「１垂直期間」、「発光期間」、「消灯期間」及び「照明部」は、それぞれ本願発明の「発光体」、「発光管」、「１フレーム」、「点灯状態」、「消灯状態」及び「光源」に相当する。
　また、引用発明の液晶表示装置は、所望の情報を表示するための「光の透過量を調整する液晶パネル」を具備することは明らかである。
　また、引用発明の「光の３原色のうちの１色の蛍光体のみが封入される冷陰極」は、本願発明の「１種類の発光体を備えた発光管」に相当する。
　したがって、本願発明と引用発明とは、
「１種類の発光体を備えた発光管を有し、１フレーム内で点灯状態と消灯状態を有する光源と、前記光源からの光の透過量を調整する液晶パネルとを具備した液晶表示装置。」の点で一致し、下記の点で相違する。 
 　 
 相違点： 
（１）本願発明の光源は、「１種類の発光体を備えた複数の発光管から構成され」るものであるのに対して、引用発明は、「複数の冷陰極管のうち少なくとも一つは、光の３原色のうちの１色の蛍光体のみが封入される」ものである点。
（２）本願発明は、「発光体のそれぞれからの光の時間に対する輝度率変化が、前記光源の消灯状態から点灯状態への輝度立上り期間、及び点灯状態から消灯状態への輝度立下り期間の少なくとも一方の期間でほぼ一致する」ものであるのに対して、引用発明は、「複数の冷陰極管の輝度の時間に対する変化率が立ち上がり時間及び立ち下がり時間付近で概略一致する」ものである点。
　
　
４．判断 
 　上記相違点について検討する。 
（１）引用例には、「上記冷陰極管は第１乃至第３の３つの冷陰極管からなり、上記第１冷陰極管には、光の３原色のうちの緑色の蛍光体のみが封入されており、上記第２冷陰極管には、光の３原色のうちの赤色の蛍光体のみが封入されており、上記第３冷陰極管には、光の３原色のうちの青色の蛍光体のみが封入されている」とすることにより「高精度に３原色の各発光波形の位相を互いに近づけることが可能となり、高速動画映像において画像の輪郭が着色する現象をより確実に軽減でき、表示品位をよりいっそう向上させることができる」ことが記載されている（上記２．（３）の段落【００２６】〜【００２７】）ので、引用発明において、高速動画映像において画像の輪郭が着色する現象をより確実に軽減でき、表示品位をよりいっそう向上させるようにするために、複数の冷陰極管を、「第１乃至第３の３つの冷陰極管からなり、上記第１冷陰極管には、光の３原色のうちの緑色の蛍光体のみが封入されており、上記第２冷陰極管には、光の３原色のうちの赤色の蛍光体のみが封入されており、上記第３冷陰極管には、光の３原色のうちの青色の蛍光体のみが封入されている」ものとして、上記相違点（１）に係る本願発明の構成とすることは当業者が容易に想到することができたことである。
　
（２）引用発明は、「１垂直期間毎に一定の消灯または減光期間を持つように照明部の発光体を制御したときに生じていた画像の輪郭の着色現象を軽減する液晶表示装置であって、蛍光体が封入され、駆動信号に応じた光を画素に照射する複数の冷陰極管と、１垂直期間毎に、上記複数の冷陰極管の輝度の時間に対する変化率が立ち上がり時間及び立ち下がり時間付近で概略一致するように、上記駆動信号を制御する発光制御手段とを備え」るものであるが、引用例には、「従来の技術では、照明部の発光体として白色タイプのものが使用されている。この場合、光の３原色に対応する少なくとも３色の蛍光体が封入されており、各色によって発光体の応答時間が異なり、その結果、発光波形の位相が異なるようになる。これは、特に、高速動画映像において画像の輪郭が着色される現象を招来し、表示品位を低下させていた。本発明は、上記問題点に鑑みなされたものであり、その目的は、１垂直期間毎に一定の消灯または減光期間を持つように照明部の発光体を制御したときに生じていた画像の輪郭の着色現象を軽減する液晶表示装置を提供することにある」こと（上記２．（２））、「上記発光体は、３原色のうち比較的応答時間の長い蛍光体を封入した第１冷陰極管と、中間的な応答時間の蛍光体を封入した第２冷陰極管と、比較的応答時間の短い蛍光体を封入した第３冷陰極管とからなることが好ましい。この場合、３原色を３本の冷陰極管に分けているので、より高精度に各色の発光期間をそろえることが可能となり、表示上、最も好ましい状況を実現できる」こと（上記２．（４）の段落【００４８】）、「各色の発光体の発光期間をそろえるためには、発光期間の開始時間・終了時間、発光期間の長さ、並びに発光期間の開始時及び終了時の輝度プロファイルの３つのファクタがある」こと（上記２．（４）の段落【００５０】）及び「冷陰極管３ａ〜３ｃの発光波形が互いに近づくようにパルス幅、及び／又はパルス高が決定されればよい」こと（上記２．（５））が記載されている。
　したがって、引用発明における各色の発光期間をそろえるために各色の発光波形が互いに近づくように、３原色の発光体を３本の冷陰極管に分けて、各冷陰極管の発光波形が互いに近づくようにパルス幅、及び／又はパルス高を決定することは容易想到であり、「複数の冷陰極管の輝度の時間に対する変化率が立ち上がり時間及び立ち下がり時間付近で概略一致する」引用発明において、「各冷陰極管の発光波形が互いに近づく」ようにするために、「発光体のそれぞれからの光の時間に対する輝度率変化がほぼ一致する」ようにすることは、当業者がまず想起し得ることというべきであるから、引用発明を上記相違点（２）に係る本願発明の構成とすることは当業者が容易に想到することができたことである。
　
　
５．むすび 
 　したがって、本願発明は、引用発明および引用例に記載された技術的事項に基づいて当業者が容易に発明をすることができたものであるから、特許法第２９条第２項の規定により特許を受けることができない。 
 　よって、結論のとおり審決する。